(57)【特許請求の範囲】
【請求項１】
ロッカーを構成する開閉扉に配設される錠箱と、
該錠箱における前記開閉扉の表裏厚さ方向に貫通して形成される窓穴部と、
前記開閉扉の裏面における前記窓穴部に位置してカードを収容保持し、前記カードの一部が前記開閉扉表面から前記窓穴部を通して目視可能とする保持部と、
前記錠箱の表面における前記窓穴部の周縁部に位置して配設され、キーによる操作にて作動し掛け金が進退する錠部と、
前記保持部に設けられ、前記カードの保持状態を検知する検出手段と、
前記錠部に設けられ前記キーによる操作を規制する規制手段と、
前記検出手段により前記カードの保持状態が検出された時に、タイマーによって設定された所定時間内前記規制手段による規制を解除する電磁ソレノイドよりなる解除手段と、 前記錠箱表面に表出して設けられ、前記解除手段を作動操作させる押しボタンスイッチと、
前記錠箱表面に表出して設けられ、前記押しボタンスイッチの作動操作後前記タイマーによって設定された所定時間内点灯若しくは点滅する表示灯と、
を具備し、
前記開閉扉の解錠状態において、前記保持部に前記カードを挿入するとともに前記押しボタンスイッチを作動操作させ、押しボタンスイッチの前記作動操作後前記表示灯が前記所定時間内点灯若しくは点滅している間に閉扉位置にある開閉扉の前記錠部に前記キーを挿入回転させて施錠を行い、
前記開閉扉の施錠状態において、前記押しボタンスイッチを作動操作させ、押しボタンスイッチの前記作動操作後前記表示灯が前記所定時間内点灯若しくは点滅している間に施錠位置にある開閉扉の前記錠部に前記キーを挿入回転させて解錠を行なわせるようにしたことを特徴とするロッカー用錠装置。
【請求項２】
前記窓穴部の内周縁部の一部に手掛け部を形成したことを特徴とする請求項１記載のロッカー用錠装置。
【請求項３】
前記錠部はシリンダ錠よりなり、前記キーは前記シリンダ錠に対してのみ操作可能な特定のキーとされることを特徴とする請求項１又は２に記載のロッカー用錠装置。
【発明の詳細な説明】
【０００１】
【発明の属する技術分野】
本発明は、例えばスポーツ施設などのロッカールームに設置されるロッカーの扉に設けられるロッカー用錠装置に関するものである。
【０００２】
【従来の技術】
スポーツ施設などに付設されるロッカールームに設置される施設利用者のためのロッカーには、開閉扉を施錠する錠装置が備えられる。
この錠装置は、キーを用いて機械的に施解錠を行うものや、暗証番号を使って電気的に施解錠を行うものなどがある。また、近年ではカード状のキーを用いる構造のものもある。
【０００３】
また、上記のような施設のロッカーは、そのロッカーを使用している利用者が誰であるかを容易に特定できるように、利用者の名札や利用者本人の登録カードを保持する構造を有しており、例えば、扉に小窓を貫通形成し、その扉の裏面側にカードを保持させ、ロッカー外部からその小窓にてカードの一部、例えば利用者の氏名や登録番号などが目視できるようになっている。
【０００４】
【発明が解決しようとする課題】
しかしながら、上述したロッカーの構造において、開閉扉には、施錠機構部分やカードの保持構造など数種の付属部品が取り付けられるが、それぞれが独立した構造となっており簡素化した一体構造が望まれていた。
【０００５】
そこで本発明は、ロッカーの開閉扉に具備される錠などの構造物を簡素な構造とし、かつロッカーとしての機能を向上させることのできるロッカー用錠装置を提供することを目的としている。
【０００６】
【課題を解決するための手段】
次に、上記の課題を解決するための手段を、実施の形態に対応する図面を参照して説明する。
この発明のロッカー用錠装置１は、ロッカーを構成する開閉扉４１に配設される錠箱２と、
該錠箱２における前記開閉扉４１の表裏厚さ方向に貫通して形成される窓穴部３と、
前記開閉扉４１の裏面における前記窓穴部３に位置してカード４３を収容保持し、前記カード４３の一部が前記開閉扉表面から前記窓穴部３を通して目視可能とする保持部７と、
前記窓穴部３の内周縁部の一部に形成される手掛け部５と、
前記錠箱２の表面２ａにおける前記窓穴部３の周縁部に位置して配設され、キー４５による操作にて作動し掛け金１７が進退する錠部１２と、
を具備することを特徴としている。
【０００７】
また、この発明のロッカー用錠装置１は、前記保持部７に、前記カード４３の保持状態を検知する検出手段１０を備える構成としてもよく、さらに、前記錠部１２に設けられ前記キー４５による操作を規制する規制手段１９と、前記検出手段１０により前記カード４３の保持状態が検出された際に前記規制手段１９を解除する解除手段２０とを備える構成としてもよい。また、前記解除手段２０には、前記規制手段１９の解除状態を所定時間内とするタイマーが設けられていることとしてもよい。
この発明のロッカー用錠装置１では、開閉扉の解錠状態において、錠箱１２に設けた保持部７にカードを挿入するとともに、錠箱１２前面の押しボタンスイッチ２３を作動操作させ、押しボタンスイッチ２３の作動操作後、錠箱１２前面の表示灯２５がタイマーにより設定された所定時間内点灯若しくは点滅している間に閉扉位置にある開閉扉の錠部１２にキーを挿入回転させて施錠を行い、開閉扉の施錠状態において、前記押しボタンスイッチ２３を作動操作させ、押しボタンスイッチ２３の前記作動操作後前記表示灯２５が前記所定時間内点灯若しくは点滅している間に施錠位置にある開閉扉の前記錠部１２に前記キーを挿入回転させて解錠を行なわせるようにしたことを特徴としている。
【０００８】
さらに、前記錠部１２はシリンダ錠よりなり、前記キー４５は前記シリンダ錠１２に対してのみ操作可能な特定のキーとされる構成としてもよい。
【０００９】
本発明では、キーの挿入回転による施解錠操作を、カードを挿入するとともに、錠箱１２前面の押しボタンスイッチ２３を作動操作し、錠箱１２前面の表示灯２５がタイマーにより設定された所定時間内点灯若しくは点滅している間にのみ、行わせるようにしているので、この種ロッカー用錠装置としての、安全性と操作性が向上する。
また、上記の構成によれば、開閉扉４１の開閉操作を行うための手掛け部５と、開閉扉４１の施解錠を行う錠部１２とが一体な構造となるとともに、ロッカー利用者のカード４３を保持する保持部７も一体とされて錠箱２で構成されることから、開閉扉４１における一部分のみの箇所にそれらが纏まって構成されることとなり、ロッカーの開閉扉４１に対する機能、すなわち、開閉扉４１の開閉操作、カード４３の挿入、施解錠の操作をコンパクトに構成することが可能となる。また、ロッカー利用者のカード４３を目視できる窓穴部３と、開閉扉自体の開閉操作を行うための手掛け部５とが一体な構造であり、手を掛けるために必要な凹状部分を有効に利用でき、ロッカーの開閉扉としての機能性が向上する。
【００１０】
【発明の実施の形態】
図１は本発明によるロッカー用錠装置の実施の形態を示す斜視図、図２は同ロッカー用錠装置の一部を示す裁断斜視図、図３は同ロッカー用錠装置の側断面図、図４は同背面図である。
【００１１】
本実施の形態のロッカー用錠装置１は、窓穴部３と、手掛け部５と、保持部７と、錠部１２とで大略構成され、それぞれが錠箱２に収容されて、ロッカーを構成する開閉扉４１に配設される。なお、開閉扉４１には端縁に近接して板面に貫通穴が穿設され、この貫通穴に錠箱２が取り付けられる。
【００１２】
錠箱２は、略方形箱状に形成されているとともに、表面２ａ側の外周縁にフランジ部２ｂが形成され、このフランジ部２ｂが開閉扉４１の表面に当接して開閉扉４１の貫通穴に取り付けられ、すなわち、扉表面から扉裏面のロッカーの内部方向に所定の奥行きとなるよう開閉扉４１の厚さよりも十分に大きくなるよう形成されている。
【００１３】
錠箱２の上半部には、窓穴部３が形成される。
窓穴部３は、開閉扉の表裏厚さ方向に貫通するして形成され、例えば略矩形筒状に形成されて、所定の奥行き長さを有するように形成されている。
【００１４】
窓穴部３の内周縁部の縦縁部分には、手掛け部５が形成されており、図２に示すように凹溝状に形成される。この手掛け部５は、開閉扉４１の表面方向に突出せず、窓穴部３の奥行き長さ内に設定され形成される。
【００１５】
保持部７は、窓穴部３の奥側となる後端に位置して設けられ、利用者の所持するカード４３を収容保持するようになっている。この保持部７は、錠箱２の上端面に開口する略スリット状の挿入口７ａを有するとともに、開閉扉４１の板面に略平行となるように沿って形成され、カード４３の周囲を保持するようになっており、カード４３の略中央部分を窓穴部３を通して開閉扉４１の表面側から目視可能とされる。また、この保持部７には、透明樹脂板などのカバー板８が備えられ、窓穴部３の後端に位置して、扉表面側からカード自体に触れることができないようになっている。
なお、図３に示すように、保持部７内には、カード４３を弾持状態で保持する付勢片９が設けられる。
【００１６】
また、この保持部７には、検出手段１０が設けられている。本実施の形態では、図４に示すように、保持部７下端に位置して配設され、カード４３が上部より挿入された際の、カード４３の下端に当接し、このカード４３の挿入状態を検知するようになっており、マイクロスイッチより構成される。
【００１７】
錠箱２の下半部には、錠部１２が配設される。
錠部１２は、シリンダ錠１３と掛け金１７と規制手段１９と解除手段とで大略構成される。
シリンダ錠１３は、スリット状のキー挿入部１４ａを備える内筒１４と、この内筒１４を回転自在に支持し錠箱２内に固定される外筒１５とで略構成される。内筒１４のキー挿入部１４ａは錠箱表面２ａに表出して設けられ、また、内筒１４の後端には、掛け金１７の基端１７ａが固定されている。
なお、本実施の形態のシリンダ錠１３は、キー挿入部１４ａ内に、キー４５を保持する一対の凸部を有する構造とされ、キー４５がキー挿入部１４ａに挿入された際には、このキー４５を保持状態とし、キー４５により内筒１４を回転することが可能な構造とされている。
【００１８】
掛け金１７は略矩形板状に形成されており、内筒１４の回転により先端１７ｂが揺動し、錠箱２側方より進退自在とされる。掛け金１７の基端１７ａには係合部１８が形成されており、規制手段としての係合片１９に係るようになっている。
なお、本実施の形態では、この掛け金１７は約９０°の範囲内を揺動自在とされ、基端１７ａに対する先端１７ｂが垂直位置となる後退状態と、先端１７ｂが水平方向となる進出状態とに設定され、それぞれの状態にて回動が規制されるように係合片１９に係るようになっている。
【００１９】
係合片１９は、図４に示すように、錠箱２に中途部が軸支され揺動自在となっており、先端の爪部１９ａが掛け金１７の係合部１８に対し係脱自在とされ、基端１９ｂは解除手段を構成する電磁ソレノイド２０に連動連結されている。この電磁ソレノイド２０は、図示しない制御部により作動杆２１が進退動作し、この進退動作により係合片１９を揺動させる。
【００２０】
また、この錠部１２には、錠箱表面２ａに表出して設けられる押しボタンスイッチ２３と、ＬＥＤなどにて構成される表示灯２５とを有するとともに、錠箱２内に位置して、これら押しボタンスイッチ２３、ＬＥＤ２５、及びマイクロスイッチ１０に接続され、電磁ソレノイド２０を駆動させ、この電磁ソレノイド２０とともに解除手段を構成する制御部（図示せず）が設けられている。この制御部は、本実施の形態では電池２７を電源とし駆動するようになっている。電池２７は、図３に示すように、錠箱２の背面となり保持部７の裏面となる位置に錠箱２と一体に形成される収容部２８内に設けられる。なお、この制御部にはタイマー回路を具備している。
【００２１】
次に、上述した構成のロッカー用錠装置１の動作について説明する。
予め、ロッカーを使用する利用者は、本人であることを示すカード４３と、使用するロッカーのキー４５を用意する。
また、使用前のロッカーは、施錠されておらず、すなわち掛け金１７が錠箱２内に後退しており、その状態を係合片１９にて維持され、かつ制御部には通電されていない状態となっている。
【００２２】
なお、ここで用いられるキー４５は、図５に示すように、つまみ部４５ａと挿入部４５ｂとを有した所定の厚さの略板状に形成され、挿入部４５ｂには側縁の対向位置に切欠部４５ｃが形成され、シリンダ錠１３内筒１４内の凸部に係合可能とされ、つまみ部４５ａには、例えばロッカーの番号を示す数字等が刻印若しくは印刷表示される。
また、このキー４５には、図５に示すように、伸縮自在なバンド４６が環状に取り付けられており、ロッカーの利用者が、このキー４５を腕などに取り付けることが可能となっている。
【００２３】
まず、ロッカーの利用者は、手掛け部５に手を掛けて開閉扉４１を開放する。利用者は所持しているカード４３を開閉扉４１裏面側にて錠装置１の保持部７に上方より差し入れる。
【００２４】
カード４３が挿入されることで、保持部７下端のマイクロスイッチ１０が閉じ、電源である電池２７から制御部へ通電状態となる。
【００２５】
次に、利用者は、開閉扉４１を閉める。
続いて利用者は、錠装置前面の押しボタンスイッチ２３を押下する。
この押下操作により、制御部は、表示灯２５を点灯させ、若しくは点滅させ、タイマーを始動する。このタイマーは、予め設定された時間、例えば４〜５秒を計測し、この時間内にのみ表示灯２５の点灯（点滅）を行う。
【００２６】
制御部は、この表示灯２５の点灯（点滅）を開始すると同時に、電磁ソレノイド２０に通電し動作させ、作動杆２１を移動させて係合片１９を揺動させ、爪部１９ａと掛け金１７の係合部１８との係合状態を解除する。すなわちシリンダ錠１３の規制が解かれ、回転が可能となる。
【００２７】
利用者は、表示灯２５の点灯（点滅）している間に、キー４５をシリンダ錠１３に挿入し、回転させることで掛け金１７を進出させ、掛け金１７はロッカー本体の嵌入溝（図示せず）に嵌入して、これにより開閉扉４１の施錠が行われる。
【００２８】
施錠が行われ、タイマーによる所定の時間が経過すると、表示灯２５の点灯（点滅）が終了し、電磁ソレノイド２０への通電が断たれ、作動杆２１が復帰し、これにより係合片１９の爪部１９ａが揺動し、その状態で掛け金１７の回転及びシリンダ錠１３の回転が規制され、爪部１９ａは掛け金１７の係合部１８と係合状態となり、開閉扉４１の施錠状態が維持されることとなる。
【００２９】
なお、押しボタンスイッチ２３を押下した後、制御部のタイマーにて設定された所定時間内にキー４５による操作が行われなかった場合には、電磁ソレノイド２０への通電が断たれることとなり、すなわち回転規制の解除状態から規制状態となり、その後のキー４５による操作を受け付けることが不可能となり、すなわち、キー４５によるシリンダ錠１３の回転操作を行うことが出来ず、開閉扉４１の施錠が行われない。この場合、もう１度押しボタンスイッチ２３を押下することで制御部はタイマーを始動させ、かつ電磁ソレノイド２０への通電を行う。
【００３０】
施錠後、ロッカー利用者は、シリンダ錠１３よりキー４５を抜脱する。
【００３１】
次に、施錠状態のロッカー用錠装置を解除し開閉扉４１を開放する場合には、そのロッカーの使用者が、まず、キー４５をシリンダ錠１３に挿入する。
【００３２】
次に押しボタンスイッチ２３を押下する。
この操作により、制御部は、表示灯２５を点灯、若しくは点滅させ、タイマーを始動する。このタイマーは、上記施錠操作時と同様、予め設定された時間、例えば４〜５秒を計測し、この時間内にのみ表示灯２５の点灯（点滅）を行う。
【００３３】
また、制御部は、この表示灯２５の点灯（点滅）の開始と同時に、電磁ソレノイド２０に通電を行い動作させ、作動杆２１を移動させて係合片１９を揺動させ、爪部１９ａと係合部１８との係合状態を解除する。すなわちシリンダ錠１３の規制が解かれ、回転が可能となる。
【００３４】
ロッカー利用者は、この表示灯２５の点灯（点滅）が行われている間に、キーを回転させることで掛け金１７をロッカー本体の嵌入溝（図示せず）から後退させ、解錠を行う。
【００３５】
そして、開閉扉４１は開放可能となり、ロッカー利用者は、手掛け部５に手を掛けて開閉扉４１の開放操作を行う。
【００３６】
解錠後、タイマーによる所定の時間が経過すると、表示灯２５の点灯（点滅）が終了し、電磁ソレノイド２０への通電が断たれ、これにより作動杆２１は復帰して係合片１９の爪部１９ａが揺動し、その状態で掛け金１７の回転及びシリンダ錠１３の回転が規制され、爪部１９ａは掛け金１７の係合部１８と係合状態となり、解錠状態が維持されることとなる。
【００３７】
なお、押しボタンスイッチ２３を押下した後、制御部のタイマーにて設定された所定時間内にキー４５による操作が行われなかった場合には、電磁ソレノイド２０への通電が断たれることとなり、その後のキー４５による操作を受け付けることが不可能となり、すなわち、キー４５によるシリンダ錠１３の回転操作を行うことが出来ず、開閉扉４１の解錠が行われない。この場合、もう１度押しボタンスイッチ２３を押下することで制御部はタイマーを始動させ、かつ電磁ソレノイド２０への通電を行う。
【００３８】
また、上記解錠手順にて、始めにキー４５をシリンダ錠１３に挿入し、次に押しボタンスイッチ２３を押下する手順としたが、先に押しボタンスイッチ２３を押下し、その後にキー４５を挿入し回転操作を行う手順としてもよい。
【００３９】
解錠し開閉扉４１を開放した後、ロッカー利用者は、保持部７に保持されているカード４３を抜き取り、また、シリンダ錠１３よりキー４５を抜脱する。
【００４０】
このように構成されたロッカー用錠装置１によれば、開閉扉４１の開閉操作を行うための手掛け部５と、開閉扉４１の施解錠を行う錠部１２とが一体な構造となるとともに、ロッカー利用者のカード４３を保持する保持部７も一体とされて錠箱２で構成されることから、開閉扉４１における一部分のみの箇所にそれらが纏まって構成されることとなり、ロッカーの開閉扉４１に対する機能をコンパクトに構成することが可能となる。
【００４１】
特に、ロッカー利用者のカード４３を目視できる窓穴部３と、開閉扉４１自体の開閉操作を行うための手掛け部５とが一体な構造であり、手を掛けるために必要な凹状部分を有効に利用でき、機能性及び意匠性が向上している。
【００４２】
また、ロッカーを利用するためのカード４３を検知する構成とし、このカード４３の使用により錠部１２の施錠及び解錠の作動を可能とする構成としたので、カード４３を所持する者のみが施錠操作及び解錠操作を行うことができることとなる。
【００４３】
なお、上述した実施の形態では、カード４３の挿入をマイクロスイッチ１０で検知し、電磁ソレノイド２０の動作にて掛け金１７の回転規制解除を行う、すなわち電気的な構成にて施解錠の操作を行う例について述べたが、機械的な構成にて施解錠操作の解除及び規制を行うこととしてもよい。
このような構成としては、図６に示すように、錠箱２内に、略Ｌ字状に形成した検出手段と規制手段とを兼ねる揺動片３１を設け、中途の折曲部分を軸支させ、検出手段となる一端３２を保持部７の下端に、規制手段となる他端３３を掛け金１７の基端１７ａの係合部１８に延出形成させる。
そして、この揺動片３１によれば、通常時、揺動片３１は、他端３３が掛け金１７の係合部１８に係合状態となり、掛け金１７が回動規制状態とされ、すなわち錠部１２が操作不可能な状態となる。また、カード４３を保持部７に挿入することで、カード４３の下端により、揺動片３１の一端３２が下方に揺動し、同時に他端３３が掛け金１７の基端（係合部１８）から離脱する。これにより掛け金１７は規制を解除され回動が可能となり、施錠操作を行うことができる。
この構成によれば、カード４３の挿入の有無で掛け金１７の進退を可能とするか否かという単純な構成となり、錠装置として簡素なものとなる。
【００４４】
また、上述した実施の形態では、キー４５とシリンダ錠１３との組合せが、シリンダ錠側は単なるスリット状の挿入部１４ａとされ、キー４５の挿入部４５ｂも単なる板状のものとされた例であるが、キー４５の側縁に複数の溝を形成させ、シリンダ錠１３内の内筒にタンブラーを備えた構造とし、シリンダ錠に対して特定されたキーのみが回転操作可能な構成である、所謂メカニカル錠を構成してもよい。この場合、ロッカーの錠装置１として、プライバシーの保護、防犯性の向上を得ることができる。
【００４５】
さらに、図７に示すように、キー４５に、電磁コイルを内蔵させ励磁回路４８を構成させるとともに、識別コードなどを記憶する記憶手段などを埋め込む構成とし、シリンダ錠１３側に励磁する回路構造４９を構成して識別コードを受信することで特定のキー４５であることとする構成、すなわち電気錠を構成することとしても良い。
【００４６】
【発明の効果】
以上説明したように本発明によるロッカー用錠装置では、開閉扉の開閉操作を行うための手掛け部と、開閉扉の施解錠を行う錠部とが一体な構造となるとともに、ロッカー利用者のカードを保持する保持部も一体とされて錠箱で構成されることから、開閉扉における一部分のみの箇所にそれらが纏まって構成されることとなり、ロッカーの開閉扉に対する機能、すなわち、開閉扉の開閉操作、カードの挿入、施解錠の操作をコンパクトに構成することが可能となる。
【００４７】
また、ロッカー利用者のカードを目視できる窓穴部と、開閉扉自体の開閉操作を行うための手掛け部とが一体な構造であり、手を掛けるために必要な凹状部分を有効に利用でき、ロッカーの開閉扉としての機能性が向上し、かつ、開閉扉に対して１カ所で構成されることからロッカーとしての意匠性が向上する効果がある。
【図面の簡単な説明】
【図１】本発明によるロッカー用錠装置の実施の形態を示す斜視図
【図２】同ロッカー用錠装置の一部を示す裁断斜視図
【図３】同ロッカー用錠装置の側断面図
【図４】同背面図
【図５】同錠装置に用いるキーの斜視図
【図６】他の実施の形態を示す概略斜視図
【図７】他の実施の形態を示す概略平断面図
【符号の説明】
１…ロッカー用錠装置
２…錠箱
３…窓穴部
５…手掛け部
７…保持部
１０…検出手段（マイクロスイッチ）
１２…錠部
１７…掛け金
１９…規制手段（係合片）
２０…解除手段（電磁ソレノイド）
４１…開閉扉
４３…カード
４５…キー
【図１】
0004260355.tif 000002
【図２】
0004260355.tif 000003
【図３】
0004260355.tif 000004
【図４】
0004260355.tif 000005
【図５】
0004260355.tif 000006
【図６】
0004260355.tif 000007
【図７】
0004260355.tif 000008